【手続補正書】
【提出日】平成27年11月2日(2015.11.2)
【手続補正１】
【補正対象書類名】特許請求の範囲
【補正対象項目名】全文
【補正方法】変更
【補正の内容】
【特許請求の範囲】
【請求項１】
仮想入力パネルの表示によるオクルージョンを回避するために、コンテンツ・エリアを調整する方法であって、
前記コンテンツ・エリアを表示するステップと、
前記コンテンツ・エリア内の相互作用エリアを指し示す、コンテンツとの相互作用を受けるステップと、
前記仮想入力パネルの表示が、いつ前記相互作用エリアをオクルードしたかを判断するステップと、
前記仮想入力パネルの表示の間に、前記コンテンツ・エリア内のコンテンツの少なくとも一部をリサイズしないように構成される、前記コンテンツ・エリアの対応するズーム・スケールを有するスケーリング係数を決定するステップと、
前記仮想入力パネルを表示するステップと、
前記仮想入力パネルにより、前記相互作用エリアをオクルードしないように前記相互作用エリアのサイズおよび位置を調整することによって、前記相互作用エリアの表示を調整するステップであって、前記相互作用エリアの位置が、前記コンテンツ・エリアに対して調整されると共に、前記仮想入力パネルのサイズおよび位置に基づく、ステップと
を含む、方法。
【請求項２】
請求項１記載の方法において、前記相互作用エリアの表示を調整するステップが、
前記相互作用エリアをスクロールさせるステップと、
前記相互作用エリアを移動させるステップとの内少なくとも１つを含む、方法。
【請求項３】
請求項１記載の方法において、前記仮想入力パネルが、仮想キーボード、タッチ・ジェスチャー入力パネル、手書きエリア、およびソフトウェア入力パネルの内１つである、方法。
【請求項４】
請求項１記載の方法であって、更に、前記仮想入力パネルが表示されるときに、前記コンテンツ・エリアの少なくとも一部分が見えるように、前記コンテンツ・エリアのサイズを調整するステップを含む、方法。
【請求項５】
請求項１記載の方法において、前記相互作用エリアが、プレゼンテーションの注記エリア、およびワード・プロセッシング・ドキュメントのコメント・エリアの内少なくとも１つである、方法。
【請求項６】
請求項１記載の方法であって、更に、前記仮想入力パネルの表示下部のコンテンツの少なくとも一部分が可視化されたままとなるように、前記仮想入力パネルをアルファ・ブレンドして表示するステップを含む、方法。
【請求項７】
請求項１記載の方法であって、更に、前記仮想入力パネルの表示よりも前に、前記相互作用エリアを自動的に調整するステップを含む、方法。
【請求項８】
請求項１記載の方法であって、更に、前記仮想入力パネルが前記コンテンツ・エリアの表示から取り除かれたのに応じて、前記相互作用エリアを、以前に表示したサイズおよび位置に戻すよう調整するステップを含む、方法。
【請求項９】
仮想入力パネルの表示によるオクルージョンを回避するために、コンテンツ領域を調整するためのシステムであって、
ディスプレイと、
少なくとも１つのプロセッサーと、
前記少なくとも１つのプロセッサーに通信可能に結合されるメモリであって、該メモリが、前記少なくとも１つのプロセッサーにより実行されると、
コンテンツ・エリアを表示するステップと、
前記コンテンツ・エリア内の相互作用エリアを指し示す、コンテンツとの相互作用を受けるステップと、
前記仮想入力パネルを表示する位置を判断するステップと、
前記仮想入力パネルの表示が、いつ前記相互作用エリアをオクルードしたかを判断するステップと、
前記仮想入力パネルの表示の間に、前記コンテンツ・エリア内のコンテンツの少なくとも一部をリサイズしないように構成される、前記コンテンツ・エリアの対応するズーム・スケールを有するスケーリング係数を決定するステップと、
前記仮想入力パネルを表示するステップと、
前記仮想入力パネルにより、前記相互作用エリアをオクルードしないように前記相互作用エリアのサイズおよび位置の表示を調整することによって、前記相互作用エリアの表示を調整するステップであって、前記相互作用エリアの位置が、前記コンテンツ・エリアに対して調整されると共に、前記仮想入力パネルのサイズおよび位置に基づく、ステップと
を含む方法を実行するコンピューター実行可能命令を有する、メモリと
を備える、システム。
【請求項１０】
請求項９記載のシステムにおいて、前記相互作用エリアの表示を調整するステップが、
前記相互作用エリアをスクロールさせるステップと、
前記相互作用エリアを移動させるステップと
の内少なくとも１つを含む、システム。
【請求項１１】
請求項９記載のシステムにおいて、前記仮想入力パネルが、仮想キーボード、タッチ・ジェスチャー入力パネル、手書きエリア、およびソフトウェア入力パネルの内１つである、システム。
【請求項１２】
請求項９記載のシステムにおいて、前記方法が、更に、前記仮想入力パネルが表示されるときに、前記コンテンツ・エリアの少なくとも一部分が見えるように、前記コンテンツ・エリアを調整するステップを含む、システム。
【請求項１３】
請求項９記載のシステムにおいて、前記方法が、更に、前記仮想入力パネルの表示下部のコンテンツの少なくとも一部分が可視化されたままとなるように、前記仮想入力パネルをアルファ・ブレンドして表示するステップを含む、システム。
【請求項１４】
請求項９記載のシステムにおいて、前記方法が、更に、前記仮想入力パネルの表示よりも前に、前記相互作用エリアを自動的に調整するステップを含む、システム。
【請求項１５】
請求項９記載のシステムにおいて、前記方法が、更に、前記仮想入力パネルが前記コンテンツ・エリアの表示から取り除かれるのに応じて、前記相互作用エリアを、前記スケーリング係数に戻すよう調整するステップを含む、システム。
【請求項１６】
プロセッサーにより実行されると、行動を実行することができるコンピューター実行可能命令を格納するメモリ・デバイスであって、前記行動が、
コンテンツ・エリアを表示するステップと、
前記コンテンツ・エリア内の相互作用エリアを指し示す、コンテンツとの相互作用を受けるステップと、
前記仮想入力パネルを表示する位置を判断するステップと、
前記判断した位置において前記仮想入力パネルの表示が、いつ前記相互作用エリアをオクルードしたかを判断するステップと、
前記仮想入力パネルの表示の間に、前記コンテンツ・エリア内のコンテンツの少なくとも一部をリサイズしないように構成される、前記コンテンツ・エリアの対応するズーム・スケールを有するスケーリング係数を決定するステップと、
前記仮想入力パネルを表示するステップと、
前記仮想入力パネルにより、前記相互作用エリアをオクルードしないように前記相互作用エリアのサイズおよび位置の表示を調整することによって、前記相互作用エリアの表示を調整するステップであって、前記相互作用エリアの位置が、前記コンテンツ・エリアに対して調整されると共に、前記仮想入力パネルのサイズおよび位置に基づく、ステップと
を含む、メモリ・デバイス。
【請求項１７】
請求項１６記載のメモリ・デバイスにおいて、前記相互作用エリアの表示を調整するステップが、前記コンテンツ・エリアの一部分を移動させるステップを含む、メモリ・デバイス。
【請求項１８】
請求項１６記載のメモリ・デバイスにおいて、前記行動が更に、前記仮想入力パネルが表示されるときに、前記調整されたコンテンツ・エリアの少なくとも一部分が見えるように、前記コンテンツ・エリアを調整するステップを含む、メモリ・デバイス。
【請求項１９】
請求項１６記載のメモリ・デバイスにおいて、前記行動が更に、前記仮想入力パネルの表示よりも前に、前記相互作用エリアを自動的に調整するステップを含む、メモリ・デバイス。
【請求項２０】
請求項１記載の方法において、前記相互作用エリアの前記サイズおよび位置を調整することの結果、前記相互作用エリアが、以前に表示されたメニュー・アイテムの位置に表示される、方法。